(57)【特許請求の範囲】
【請求項１】
第１軸線を中心として回転する第１ローラと、
前記第１ローラの周りに配置され、前記第１ローラと接触して加圧され、前記第１ローラの回転によって、前記第１軸線を中心として公転するとともに、各々の軸線である第２軸線を中心として自転する複数の第２ローラと、
前記第１ローラを前記第１軸線の方向に加圧する加圧部と、を備え、
前記第１ローラと前記第２ローラとが接触する接触部に接する接線が、前記第１軸線に対して傾いており、
前記第２ローラは、前記第１軸線の方向に移動可能である減速装置。
【請求項２】
請求項１に記載の減速装置において、
前記第１ローラの前記第２ローラに対する接触部である第１接触部、および、前記第２ローラの前記第１ローラに対する接触部である第２接触部のうちの一方は、前記第１軸線に沿った断面形状が曲線状である減速装置。
【請求項３】
請求項２に記載の減速装置において、
前記第１接触部および前記第２接触部のうちの他方は前記第１軸線に沿った断面形状が直線状である減速装置。
【請求項４】
請求項１から３のいずれか１項に記載の減速装置において、
前記第２ローラの外周に配置され、前記第２ローラと接触して加圧され、前記第２ローラが自転しつつ内周を公転する円環部材を備え、
前記第２ローラと前記円環部材とが接触する接触部の接する接線が、前記第１軸線に対して傾いている減速装置。
【請求項５】
請求項４に記載の減速装置において、
前記円環部材の前記第２ローラに対する接触部である第３接触部、および、前記第２ローラの前記円環部材に対する接触部である第４接触部のうちの一方は、前記第１軸線に沿った断面形状が曲線状である減速装置。
【請求項６】
請求項５に記載の減速装置において、
前記第３接触部および前記第４接触部のうちの他方は前記第１軸線に沿った断面形状が直線状である減速装置。
【請求項７】
請求項１から６のいずれか１項に記載の減速装置において、
前記第１ローラおよび前記第２ローラの外周を覆う外装部と、
前記外装部の開口部を覆い、前記第１ローラを相対回転可能に保持する蓋部と、を備え、
前記加圧部は、前記蓋部を前記外装部に装着することにより、前記第１ローラを前記第１軸線に沿った方向に加圧する減速装置。
【請求項８】
請求項７に記載の減速装置において、
前記加圧部は、前記蓋部に設けられた板バネである減速装置。
【請求項９】
請求項１から８のいずれか１項に記載の減速装置において、
前記第２ローラは前記第１ローラの周囲に３以上配置され、前記第２ローラによって前記第１ローラがセンタリングされる減速装置。
【請求項１０】
駆動力を発生するアクチュエータと、
前記駆動力をレンズに伝達して駆動する駆動部と、を有し、
請求項１から９のいずれか１項に記載の減速装置を、前記駆動部と前記アクチュエータとの間に備える光学機器。
【発明の詳細な説明】
【技術分野】
【０００１】
本発明は、減速装置および光学機器に関するものである。
【背景技術】
【０００２】
従来、摩擦力によって回転力を伝達するトラクションドライブ型の減速装置において、遊星ローラの回転時のスリップによる回転力の伝達効率の低下を防ぐための構成が、例えば特許文献１で提案されている。
【先行技術文献】
【特許文献】
【０００３】
【特許文献１】特開２０００−３５０９７号公報
【発明の概要】
【０００４】
本発明の減速装置は、第１軸線を中心として回転する第１ローラと、前記第１ローラの周りに配置され、前記第１ローラと接触して加圧され、前記第１ローラの回転によって、前記第１軸線を中心として公転するとともに、各々の軸線である第２軸線を中心として自転する複数の第２ローラと、前記第１ローラを前記第１軸線の方向に加圧する加圧部と、を備え、前記第１ローラと前記第２ローラとが接触する接触部に接する接線が、前記第１軸線に対して傾いており、前記第２ローラは、前記第１軸線の方向に移動可能である。
本発明の光学機器は、駆動力を発生するアクチュエータと、前記駆動力をレンズに伝達して駆動する駆動部とを有し、上記の減速装置を、前記駆動部と前記アクチュエータとの間に備える。
【図面の簡単な説明】
【０００５】
【図１】第１実施形態の減速装置の概略断面図である。
【図２】図１の領域Ｓ１の拡大図である。
【図３】図１の領域Ｓ２の拡大図である。
【図４】図１のＡ−Ａ断面図の概略図である。
【図５】第２実施形態の減速装置の概略断面図である。
【図６】本実施形態の減速装置を用いたカメラを説明する図である。
【発明を実施するための形態】
【０００６】
以下、図面等を参照して、実施形態について説明する。
図１は、実施形態の減速装置１の概略断面図である。図２は図１の領域Ｓ１の拡大図である。図３は図１の領域Ｓ２の拡大図である。図４は図１のＡ−Ａ断面図の概略図である。
【０００７】
図示するように、減速装置１は、太陽ローラ１０と、太陽ローラ１０周囲に配置される複数の遊星ローラ２０と、遊星ローラ２０に連結された出力軸３０とを備える。
さらに、減速装置１は、太陽ローラ１０および遊星ローラ２０の外周を覆う有底円筒形であって、出力軸３０が挿通する出力軸挿通孔４１が設けられた外殻部４０と、外殻部４０の上部の開口部４２を覆うとともに太陽ローラ１０が挿通する太陽ローラ挿通孔５８が設けられた蓋部５０とを備える。
なお、本明細書において、図１における蓋部５０側を上、外殻部４０の底部４４側を下として説明する。
【０００８】
太陽ローラ１０は軸線（太陽軸線Ａ１）を中心として回転可能な円柱部材で、上端は図示しないアクチュエータの出力軸に連結され、アクチュエータの出力軸の回転により回転
駆動される。
太陽ローラ１０は、上述のように蓋部５０の太陽ローラ挿通孔５８を挿通している。
太陽ローラ１０は、蓋部５０の上部における太陽ローラ挿通孔５８の外周に取り付けられた第１軸受５４によって、太陽軸線Ａ１を中心として回転可能かつ径方向に移動不能に支持されている。
【０００９】
太陽ローラ１０は、鍔部１１を有し、鍔部１１の上面と蓋部５０の下面との間には回転ロール５２が挟持されている。
太陽ローラ１０の鍔部１１は、後述する蓋部５０のバネ力によって、回転ロール５２を挟持した状態でスラスト方向に加圧され、かつ、回転ロール５２によって回転可能となっている。
なお、太陽ローラ１０を蓋部５０に対して回転可能かつスラスト方向に加圧する構造は、実施形態の回転ロール５２に限定されず、たとえば、すべり方式であっても良い。
【００１０】
太陽ローラ１０は、鍔部１１が取り付けられている部分を含む大径部１０ａと、その下部に設けられた大径部１０ａより小径の小径部１０ｂとを有する。
大径部１０ａと小径部１０ｂとの間には、径が徐々に変化する斜面（テーパ）が設けられている。この斜面は、図１および図２に示す断面において、太陽軸線Ａ１に対して所定角度で傾いた直線状で、遊星ローラ２０と接触する太陽側接触部１２となっている。
【００１１】
遊星ローラ２０は、太陽ローラ１０の下部の外周に、互いに１２０°の間隔をあけて３つ配置されている。ただし遊星ローラ２０の数および配置の角度はこれに限定されない。
遊星ローラ２０は、図１に示すように断面Ｔ字型であり、大環部２１と、大環部２１の下部に設けられた小環部２２とを有する。
遊星ローラ２０の中央には遊星軸部２３が、軸受２３ａを介して通挿されている。遊星ローラ２０は遊星軸部２３の中心（遊星軸線Ａ２）の周りを回転可能に保持され、上下に移動可能である。
【００１２】
図２に示すように、遊星ローラ２０の大環部２１の外周は、遊星側第１接触部２１ａで、断面が真円、楕円の円弧状等の曲線状に形成されている。ただし、真円、楕円の円弧状に限定されず、角部を有さない丸みを帯びた形状であればよい。
【００１３】
遊星ローラ２０の小環部２２の外周の下端は、図３に示すように遊星側第２接触部２２ａで、遊星側第１接触部２１ａと同様に、断面が真円、楕円の円弧状等の曲線状に形成されている。ただし、遊星側第１接触部２１ａと同様に、真円、楕円の円弧状に限定されず、角部を有さない丸みを帯びた形状であればよい。
【００１４】
外殻部４０は、上述のように、太陽ローラ１０および遊星ローラ２０の外周を覆う有底円筒形で、円筒部４３と、その円筒部４３の下端に設けられた底部４４とを有する。
【００１５】
上述したように、底部４４の中央部には、出力軸３０が貫通する円形の出力軸挿通孔４１が設けられている。底部４４の外面の出力軸挿通孔４１の周囲には第２軸受４７が配置されている。
【００１６】
円筒部４３は、上端から所定長さの範囲において内径が拡大するように肉薄になっており、内径側に段部４５が設けられている。
【００１７】
外殻部４０の内部の、底部４４と円筒部４３との角部には、円環部材６０がねじ６２によって取り付けられている。
円環部材６０は、図１に示す断面において、矩形の角部が斜めに切断されたような５角形の形状であり、外周は外殻部４０の円筒部４３の内周と接触している。
円環部材６０の内径側の上方の角部は、図１および図３に示す断面において太陽軸線Ａ１に対して所定角度で傾いた直線状となるよう斜面（テーパ）で、遊星側第２接触部２２ａと接触する外殻側接触部６１となっている。
【００１８】
蓋部５０は、外殻部４０の円筒部４３と、内径および外径が等しい蓋部円筒部５１と、蓋部円筒部５１の上端を覆う上板部５３と、を備える。
【００１９】
蓋部円筒部５１の、下端の内径側には所定長さの段部５５が形成されている。段部５５は上述の段部４５と係合する。
【００２０】
上板部５３はバネ部材で製造されている。また、上述したように太陽ローラ挿通孔５８の周囲には第１軸受５４が配置されている。
蓋部５０の縁部近傍には、ねじ５６を挿入する孔５７が設けられ、蓋部５０を外殻部４０に装着する際には、段部４５，５５を係合させることにより蓋部５０を位置決めし、孔５７にねじ５６を挿入する。
外殻部４０の上部には、ねじ孔４６が設けられており、ねじ５６をそのねじ孔４６に螺合することにより、蓋部５０は外殻部４０に固定される。
なお、本実施形態では上板部５３をバネ部材で製造し、減速装置１の組み上げ時に加圧力が作用する構造としたが、加圧力を発生させる構造はこれに限定されず、遊星ローラ２０の遊星軸部２３、遊星ローラ保持部３１、若しくは太陽軸にスラスト加圧用コイルばねを設置することで実現してもよい。
いずれの加圧力も、蓋部５０を締結することで作用する構造とすることが好ましい。
【００２１】
出力軸３０は、出力軸線Ａ３を中心とした回転部材で、外殻部４０の内部に配置される遊星ローラ保持部３１と、遊星ローラ保持部３１の中央下面から出力軸挿通孔４１を通って下方に延びる出力部３２とを備える。
出力部３２は、太陽ローラ１０に連結された不図示のアクチュエータからの回転駆動力を伝達する伝達機構に連結される。伝達機構は、回転駆動力を直進駆動力として伝達し、たとえばレンズ群を直進駆動することに用いられる。
【００２２】
遊星ローラ保持部３１は遊星ローラ２０の遊星軸部２３の下端を保持する軸保持孔３３を、出力軸線Ａ３の周りに１２０°の間隔で均等に３つ備える。
【００２３】
遊星ローラ保持部３１の中央部の下部には下方に向かって出力部３２が延びている。
出力部３２は、出力軸挿通孔４１を挿通し、第２軸受４７によって回転可能かつ径方向に移動不能に支持され、図示しない被駆動部に取り付けられている。
【００２４】
なお、各ローラの静摩擦駆動伝達部には、トラクションオイルやグリスで表面を覆っておくことが好ましい。
【００２５】
ここで、上述のように太陽側接触部１２は、図２に示すように、太陽軸線Ａ１に対して所定角度で傾いた直線状である。
そして、遊星ローラ２０が太陽ローラ１０に対して接する接触部（遊星側第１接触部２１ａ）において、その接触部に接する接線Ｌ１は、太陽側接触部１２に沿うので、接線Ｌ１は太陽軸線Ａ１に対して傾くことになる。
また、遊星ローラ２０の大環部２１の遊星側第１接触部２１ａの曲率は、バネ部によるたわみ半径相当のｒ１２（図１に図示）より小さいことが好ましい。これにより、ｒ１２相当部分で生じるたわみのため、遊星側第１接触部２１ａおよび太陽側接触部１２の位置がずれることで生じる減速比のドリフトや周期内変動を抑えやすくなる。
さらに、この遊星ローラ２０大環部２１の遊星側第１接触部２１ａにおいて接する接線の方向が、相手側の太陽ローラ１０の太陽側接触部１２と平行になることが好ましい。
【００２６】
また、円環部材６０の内径側の上方の角部は、図１および図３に示す断面において太陽軸線Ａ１に対して所定角度で傾いた直線状である。
そして、遊星ローラ２０の円環部材６０に対する接触部（遊星側第２接触部２２ａ）において、その接触部と接する接線Ｌ２は、外殻側折衝部６１に沿うので、太陽軸線Ａ１に対して傾いている。
また、遊星ローラ２０の内歯相当ローラ部の、遊星ローラ２０の小環部２２の遊星側第２接触部２２ａの曲率が、バネ部によるたわみ半径相当のｒ２４（図１に図示）より小さいことが好ましい。これにより、ｒ２４相当部分で生じるたわみのため、遊星側第２接触部２２ａおよび小環部２２の位置がずれることで生じる減速比のドリフトや周期内変動を抑えやすくなる。
また、この遊星ローラ２０の小環部２２の遊星側第２接触部２２ａにおいて接する接線の方向が、相手側の円環部材６０の外殻側接触部６１と平行になることが好ましい。
【００２７】
なお、減速装置１の太陽ローラ１０および遊星ローラ２０の各ローラ径、および減速比の設計式は、内歯相当ローラ部（太陽ローラ）を機械的接地とする遊星ローラ２０の減速機機構での、ローラ同士の静摩擦伝達の（接触しあうローラの伝達円周長が等しくなる）原則に基づき、以下となる
ここで、
ｒ１：太陽ローラ１０の太陽側接触部１２の太陽軸線Ａ１からの距離
ｒ２：遊星ローラ２０の遊星側第１接触部２１ａの遊星軸線Ａ２からの距離
ｒ２’：遊星ローラ２０の遊星側第２接触部２２ａの遊星軸線Ａ２からの距離
ｒ４：遊星ローラ２０の外殻側接触部６１の太陽軸線Ａ１からの距離
θ１：太陽ローラ１０の太陽軸線Ａ１を中心とした自転回転角度
θ２：遊星ローラ２０の遊星軸線Ａ２を中心とした自転回転角度
θ４：遊星ローラ２０の太陽軸線Ａ１を中心とした公転回転角度
である。
【００２８】
例えば減速例１として、
ｒ１＝０．２ｍｍ、ｒ２＝０．８ｍｍ、ｒ２’＝０．２ｍｍ、ｒ４＝１．２ｍｍ  のとき、減速比：θ４／θ１＝０．２／０．８＊０．２／１．２＝１／２４となる。
【００２９】
例えば減速例２として、
ｒ１＝０．４ｍｍ、ｒ２＝１．２ｍｍ、ｒ２’＝０．２ｍｍ、ｒ４＝１．８ｍｍ  のとき、減速比：θ４／θ１＝０．４／１．２＊０．２／１．８＝１／３＊１／９＝１／２７となる。
【００３０】
例えば減速例３として、
ｒ１＝０．６ｍｍ、ｒ２＝１．８ｍｍ、ｒ２’＝０．４ｍｍ、ｒ４＝２．８ｍｍ  のとき、減速比：θ４／θ１＝０．６／１．８＊０．４／２．８＝１／３＊１／７＝１／２１となる。
【００３１】
例えば減速例４として、
ｒ１＝０．４ｍｍ、ｒ２＝１．６ｍｍ、ｒ２’＝０．４ｍｍ、ｒ４＝２．４ｍｍ  のとき、減速比：θ４／θ１＝１／２４となる。
【００３２】
次に、減速装置１の組立方法について説明する。
（１）まず、出力軸３０の遊星ローラ保持部３１に設けられた軸保持孔３３に、遊星ローラ２０の遊星軸部２３を挿入する。軸保持孔３３は、出力軸線Ａ３の周りに１２０°の間隔で均等に３つ設けられているため、遊星ローラ２０は、出力軸線Ａ３の周りに１２０°の間隔で均等に配置される。
【００３３】
（２）蓋部５０が装着されていない外殻部４０の内部に、遊星ローラ２０が保持された出力軸３０を挿入し、出力軸３０の端部を、底部４４に設けられた出力軸挿通孔４１より外に出す。
そうすると、遊星ローラ２０の遊星側第２接触部２２ａは、円環部材６０の外殻側接触部６１と接触する。
出力軸３０は第２軸受４７によって、外殻部４０の底部４４に回転可能に支持され、出力軸３０の出力軸線Ａ３は外殻部４０の中心に配置される。
このとき、外殻側接触部６１は、太陽軸線Ａ１に対して所定角度で傾いた直線状となる斜面であり、遊星側第２接触部２２ａは、断面が真円、楕円の円弧状等の曲線状に形成されているので、外殻側接触部６１と遊星側第２接触部２２ａとは面接触せず、点接触する。
【００３４】
（３）蓋部５０の内側から、太陽ローラ１０の大径部１０ａ側を挿入し、大径部１０ａ側の端部を蓋部５０の太陽ローラ挿通孔５８より外に出す。
太陽ローラ１０は、第１軸受５４によって、蓋部５０に回転可能に保持される。また、太陽ローラ１０の鍔部１１と蓋部５０とは、回転ロール５２を挟んで対向配置される。
【００３５】
（４）この状態で、蓋部５０を外殻部４０上に配置する。蓋部５０の段部５５は、外殻部４０の円筒部４３の段部４５と係合し、蓋部５０は外殻部４０に対して位置決めされ、太陽ローラ１０が外殻部４０に対してセンタリングされる。これにより、出力軸線Ａ３と太陽軸線Ａ１とが一致する。
なお、本実施形態では、外殻部４０および蓋部５０の内側に段部４５，５５を設けたが、これに限定されず、たとえば外側に端部を設けても良い。
【００３６】
蓋部５０をねじ５６により外殻部４０に固定すると、上板部５３のバネ力により、鍔部１１はボールを挟んで加圧される。
【００３７】
そして、太陽側接触部１２は、遊星側第１接触部２１ａと接触する。
このとき、太陽側接触部１２は、太陽軸線Ａ１に対して所定角度で傾いた直線状となる斜面であり、遊星側第１接触部２１ａは、断面が真円、楕円の円弧状等の曲線状に形成されているので、太陽側接触部１２と遊星側第１接触部２１ａとは面接触せず、点接触する。
【００３８】
板部５３のバネ力により、太陽ローラ１０の鍔部１１が下方に加圧されているので、太陽側接触部１２は、遊星側第１接触部２１ａを加圧し、遊星側第２接触部２２ａは、外殻側接触部６１を加圧する。すなわち、遊星ローラ２０は、太陽ローラ１０と、円環部材６０との間に圧力が加わった状態で保持される。
したがって太陽ローラ１０が図示しない駆動装置により回転すると、この回転力は、遊星ローラ２０に伝達され、遊星ローラ２０は、各自の遊星軸線Ａ２を中心として自転しつつ、太陽ローラ１０の太陽軸線Ａ１を中心として公転する。
遊星ローラ２０の太陽軸線Ａ１を中心とした回転により、出力軸３０は、所定の減速比で回転する。
【００３９】
（効果）
（１）本実施形態によると、蓋部５０の上板部５３のバネ力によって太陽ローラ１０が下方に加圧される。これにより太陽ローラ１０の太陽側接触部１２は、遊星側第１接触部２１ａを下方に加圧する。このとき、太陽側接触部１２と遊星側第１接触部２１ａとの接点における接線は、太陽軸線Ａ１に対して斜めである。
したがって、下方への加圧力は、遊星ローラ２０を太陽軸線Ａ１および遊星軸線Ａ２に対して垂直な方向に押す分力を生じる。
これによって、太陽ローラ１０が回転したときに、摩擦力によって遊星ローラ２０を回転することができる。
垂直方向の加圧力を調整することで、遊星ローラ２０を回転するための加圧力を調整することができるので、遊星ローラ２０を回転するための加圧力を付与する構成をコンパクト化することができる。
【００４０】
（２）遊星機構を用いるため、従来ギアモジュールに比べて、モータと同軸上又は並列軸上であってコンパクトな構造で高減速比を得ることができる。
【００４１】
（３）高減速比が取れるため、駆動伝達方向を実質減速方向のみに限定できる。そのためＡＦモータモジュールへ適用すると静止時保持力を持たせることが可能となる。
【００４２】
（４）高減速比が取れるため、駆動伝達方向を実質減速方向のみに限定できる。そのため一方向出力となるリードスクリュー方式の代替になり、リードスクリュー方式に比べリード方向へ大幅なコンパクト化が可能である。
【００４３】
（５）駆動伝達面を金属材、酸化金属材（セラミックス）系で構成できるため、伝達効率がゴムローラ式に比べ非常に高く、耐久性も高い。
【００４４】
（６）本実施形態によると、ギアを用いない構造なので、バックラッシュがない。したがって、往復動駆動時の衝撃がない。
【００４５】
（７）ギア構造と異なり静摩擦伝達駆動のため、ノイズの発生がほぼ無い。
【００４６】
（８）本実施形態によると、太陽側接触部１２と遊星側第１接触部２１ａとの間、遊星側第２接触部２２ａと外殻側接触部６１との間は点接触である。
面接触の場合、圧力が小さくなるので、滑り等により回転力がうまく伝わらない可能性があるが、本実施形態によると点接触であるので、加圧力が集中し、面圧が大きくなるので、力が伝達しやすい。
【００４７】
（９）また、面接触の場合、点接触の場合、３つの遊星ローラ間に均等に力を加えやすい。
【００４８】
（１０）さらに面接触ではなく点接触なので、接触部間の接触面積が減少するので、接触部が凝着してしまうことが防止される。
【００４９】
（１１）太陽ローラ１０の周囲の遊星ローラ２０の配置は、１２０°の三か所なので太陽ローラ１０が安定し、太陽ローラ１０をセンタリングすることができる。
【００５０】
（１２）遊星ローラ２０は、遊星側第１接触部２１ａにおいてスラスト負担するため、遊星ローラ２０にスラストベアリングを配置しなくてもよい。
【００５１】
（第２実施形態）
図５は第２実施形態の減速装置１００を示す図である。減速装置１００が減速装置１と異なる点は、太陽ローラ１０１にコイルばね１０２が配置されている点である。その他の構成については第１実施形態の減速装置１と同様であるので説明を省略する。
【００５２】
減速装置１００は、大径部１０ａの鍔部１１の下で、上部１０１ａと下部１０１ｂとに分離されている。上部１０１ａは、鍔部１１の下方に延びる延在部１０３を備える。下部１０１ｂは、延在部１０３が挿入可能な挿通孔１０４を備える。延在部１０３の外周にコイルばね１０２が装着され、その状態で延在部１０３は挿通孔１０４に保持されている。
【００５３】
本実施形態によると、蓋部５０を取り付けるだけで、コイルばね１０２のバネ力により、太陽側接触部１２と遊星側第１接触部２１ａとの間、遊星側第２接触部２２ａと外殻側接触部６１との間に加圧力を与えることができる。よって加圧力を付与する構成がコンパクト化し、かつ加圧力調整がシンプルになる。
【００５４】
本実施形態においても第１実施形態と同様に、第１実施形態に記載した（２）〜（１２）の効果を得ることができる。
【００５５】
なお、実施形態および変形形態は、適宜組み合わせて用いることもできるが、詳細な説明は省略する。
図６は、本実施形態の減速装置１を用いたカメラ２０１を説明する図である。
カメラ２０１は、撮像素子２０２を有するカメラボディ２０３と、レンズ群を有するレンズ鏡筒２０４とを備えている。
レンズ鏡筒２０４は、カメラボディ２０３に着脱可能な交換レンズであるが、カメラボディ２０３と一体型のレンズ鏡筒としてもよい。レンズ鏡筒２０４は、レンズ保持枠２０５、カム筒２０６、ギア２０７、減速装置１、モータ２０８等を備えている。
モータ２０８は、超音波モータやステッピングモータ等のアクチュエータが用いられ、カメラ２０１の焦点調節動作時にレンズ保持枠２０５を駆動する駆動源として用いられる。モータ２０８の回転軸は減速装置１の太陽ローラ１０に連結されており、減速装置１の出力軸３０にはギア２０７が取り付けられている。ギア２０７は、カム筒２０６の外周に設けられた外歯ギアに噛み合っている。
レンズ保持枠２０５は、レンズ群２０５ａを保持しており、外周にはカムフォロワ２０５ｂが設けられている。カムフォロワ２０５ｂはカム筒２０６に設けられたカム溝２０６ａに係合しており、レンズ枠２０５は、カム筒２０６に保持されながら、カム筒２０６の回転により光軸方向（図６中に示す、矢印Ｏ方向）に移動可能である。
以上のような構成により、モータ２０８から得られた回転駆動力は、減速装置１、ギア２０７を介してカム筒２０６に伝えられ、カム筒２０６が回転することによりレンズ保持枠２０５が矢印Ｏ方向に移動する。このようにして、レンズ群２０５ａも矢印Ｏ方向に移動し、焦点調節動作がなされる。
図６において、レンズ鏡筒２０４内に設けられたレンズ群２０５ａによって、カメラボディ２０３内に設けられた撮像素子２０２の撮像面に被写体像が結像される。撮像素子２０２によって、結像された被写体像が電気信号に変換され、その信号をＡ／Ｄ変換することによって、画像データが得られる。
【符号の説明】
【００５６】
Ａ１：太陽軸線、Ａ２：遊星軸線、Ａ３：出力軸線、１：減速装置、１０：太陽ローラ、１０ａ：大径部、１０ｂ：小径部、１１：鍔部、１２：太陽側接触部、２０：遊星ローラ、２１：大環部、２１ａ：遊星側第１接触部、２２：小環部、２２ａ：遊星側第２接触部、２３：遊星軸部、２３ａ：軸受、３０：出力軸、３１：遊星ローラ保持部、３２：出力部、３３：軸保持孔、４０：外殻部、４１：出力軸挿通孔、４２：開口部、４３：円筒部、４４：底部、４５：段部、４７：第２軸受、４６：孔、５０：蓋部、５８：太陽ローラ挿通孔、５１：蓋部円筒部、５２：回転ロール、５３：上板部、５４：第１軸受、５５：段部、５７：孔、６０：円環部材、６１：外殻側接触部、１００：減速装置、１０１：太陽ローラ、１０１ａ：上部、１０１ｂ：下部、１０２：コイルばね、１０３：延在部、１０４：挿通孔、２０１：カメラ、２０３：カメラボディ、２０４：レンズ鏡筒、２０５：レンズ保持枠、２０６カム筒、２０７：ギア、２０８、モータ
【図１】
0006716959.tif 000002
【図２】
0006716959.tif 000003
【図３】
0006716959.tif 000004
【図４】
0006716959.tif 000005
【図５】
0006716959.tif 000006
【図６】
0006716959.tif 000007